(57)【要約】【課題】  用紙載置部に積層された用紙が給紙部材により複数枚重なって給紙された場合に、下の用紙を戻し部材の爪部に係止させて、この戻し部材によって下の用紙が用紙載置部の適切な位置に戻されるようにする。【解決手段】  一端に爪部31が設けられた戻し部材30を移動手段40により第１ガイド溝23と第２ガイド溝24に沿って移動させるようにし、用紙載置部8に積層された用紙Sが給紙部材21により複数枚重なって給紙された場合に、下の用紙Saを戻し部材30の爪部31に係止させ、この爪部31に下の用紙を係止させた状態で、戻し部材を用紙載置部に近づける方向にスライドさせ、戻し部材を用紙載置部に近づけた状態で、戻し部材を用紙載置部に向けて回動させて、爪部に係止された下の用紙を用紙載置部に戻すようにした。【選択図】  図６
2014205570.tif 000002
【特許請求の範囲】
【請求項１】
用紙載置部に積層された用紙を給紙部材により給紙させて給紙経路に導くと共に、この給紙部材により用紙載置部から複数枚の用紙が給紙された場合に、最上面の用紙の下にある用紙を、戻し部材の一端側に設けられた爪部に係止させて、この戻し部材により下の用紙を用紙載置部に戻す給紙装置において、
前記の戻し部材の爪部と反対側の端部の位置に設けられた第１支軸を案内する第１ガイド溝と、前記の戻し部材の爪部と第１支軸との間の位置に設けられた第２支軸を案内する第２ガイド溝とを設けると共に、前記の戻し部材を移動させる移動手段を設け、
この移動手段により前記の第１支軸と第２支軸とをそれぞれ前記の第１ガイド溝と第２ガイド溝に沿って移動させて、
前記の戻し部材における爪部が給紙経路の下に位置する第１位置と、
戻し部材における爪部を給紙経路に突出させて、最上面の用紙の下にある用紙をこの戻し部材の爪部に係止させる第２位置と、
戻し部材の爪部に下の用紙を係止させた状態で、戻し部材を用紙載置部に近づける方向にスライドさせた第３位置と、
戻し部材を用紙載置部に近づけた状態で、戻し部材を用紙載置部に向けて回動させて、戻し部材の爪部に係止された下の用紙を用紙載置部に戻す第４位置と、
に戻し部材を導くことを特徴とする給紙装置。
【請求項２】
請求項１に記載の給紙装置において、前記の移動手段として、回動して戻し部材を移動させる回動部材と、前記の第１支軸と第２支軸とがそれぞれ前記の第１ガイド溝と第２ガイド溝とに沿って移動して、戻し部材が前記の第１位置から第４位置に導かれるように規制する規制部材とを設けたことを特徴とする給紙装置。
【請求項３】
請求項２に記載の給紙装置において、前記の規制部材として、前記の第１支軸に第１バネ部材を、前記の第２支軸に第２バネ部材を取り付け、この第１バネ部材と第２バネ部材により前記の第１支軸と第２支軸とを付勢し、前記の第１支軸と第２支軸とがそれぞれ前記の第１ガイド溝と第２ガイド溝に沿って移動して、回動部材によって移動される戻し部材が前記の第１位置から第４位置に導かれるように規制することを特徴とする給紙装置。
【請求項４】
用紙載置部に積層された用紙を給紙部材により給紙させて給紙経路に導くと共に、この給紙部材により用紙載置部から複数枚の用紙が給紙された場合に、最上面の用紙の下にある用紙を、戻し部材の一端側に設けられた爪部に係止させて、この戻し部材により下の用紙を用紙載置部に戻す給紙装置において、
前記の戻し部材に、爪部を有する爪部材を取付軸により回動可能に取り付け、前記の爪部と反対側における戻し部材の端部の位置に設けられた支軸を案内するガイド溝を設けると共に、前記の戻し部材を移動させる移動手段を設け、
この移動手段により前記の支軸を前記のガイド溝に沿って移動させて、
前記の戻し部材における爪部が給紙経路の下に位置する第１位置と、
戻し部材における爪部を給紙経路に突出させて、最上面の用紙の下にある用紙をこの戻し部材の爪部に係止させる第２位置と、
戻し部材の爪部に下の用紙を係止させた状態で、戻し部材を用紙載置部に近づける方向にスライドさせた第３位置と、
戻し部材を用紙載置部に近づけた状態で、戻し部材に取付軸により回動可能に取り付けられた爪部材における爪部を用紙載置部に向けて回動させて、戻し部材の爪部に係止された下の用紙を用紙載置部に戻す第４位置と、
に戻し部材を導くことを特徴とする給紙装置。
【請求項５】
請求項４に記載の給紙装置において、前記の移動手段として、回動して戻し部材を移動させる回動部材と、前記の支軸が前記のガイド溝に沿って移動して、戻し部材が前記の第１位置から第４位置に導かれるように規制する規制部材とを設けたことを特徴とする給紙装置。
【請求項６】
請求項５に記載の給紙装置において、前記の規制部材として、前記の支軸にバネ部材を取り付け、このバネ部材により前記の支軸を付勢し、この支軸が前記のガイド溝に沿って移動して、回動部材によって移動される戻し部材が前記の第１位置から第４位置に導かれるように規制することを特徴とする給紙装置。
【請求項７】
請求項４〜請求項６の何れか１項に記載の給紙装置において、前記の爪部から前記の取付軸を超えて爪部材の延出部が延出され、この延出部に当止め部材を当接させて、前記の爪部材の爪部を用紙載置部に向けて回動させることを特徴とする給紙装置。
【発明の詳細な説明】
【技術分野】
【０００１】
本発明は、複写機、プリンター、ファクシミリ及びこれらの複合機からなる画像形成装置等において、用紙載置部に積層された用紙を給紙部材により給紙させるようにした給紙装置に関するものである。特に、用紙載置部に積層された用紙が給紙部材により複数枚重なって給紙された場合に、下の用紙を戻し部材に設けられた爪部に係止させて、上の用紙だけを給紙させて搬送させる一方、この戻し部材により下の用紙を用紙載置部の適切な位置に戻すようにした点に特徴を有するものである。
【背景技術】
【０００２】
複写機、プリンター、ファクシミリ及びこれらの複合機からなる画像形成装置等においては、一般に、給紙カセットなどの用紙載置部に積層された用紙を給紙部材により順々に給紙させるようにした給紙装置が用いられている。
【０００３】
そして、このような給紙装置において、用紙載置部に積層された用紙が給紙部材により複数枚重なって給紙されると、用紙が給紙経路等に詰まってジャムが発生する等の問題があった。
【０００４】
このため、このような給紙装置においては、一般に、給紙部材により複数枚の用紙が重なって給紙された場合、給紙された複数枚の用紙を給紙部材と捌き部材との間で分離させて、最上面の用紙だけを給紙させて搬送させる一方、下にある用紙を戻し部材によって用紙載置部に戻すことが行われている。
【０００５】
そして、このように下にある用紙を戻し部材によって用紙載置部に戻すにあたり、従来においては、特許文献１に示されるように、レバー軸を支点として回動する戻し部材に設けられた爪部に、用紙載置部に重なって給紙された下の用紙を係止させて、上の用紙だけを給紙させて搬送させる一方、この戻し部材を、付勢バネによりレバー軸を支点として用紙載置部に向けて回動させ、爪部に係止された下の用紙を用紙載置部に戻すようにしたものが提案されている。
【０００６】
しかし、このように戻し部材を付勢バネにより用紙載置部に向けて回動させ、爪部に係止された下の用紙を用紙載置部に戻すようにした場合、用紙の種類や乾燥状態等により戻される用紙の位置にバラツキが生じた。
【０００７】
例えば、サイズが小さくて軽量な用紙や、乾燥されて摩擦抵抗が低い用紙等の場合には、付勢バネにより回動される戻し部材によって用紙が、用紙載置部に積載された用紙よりも後方の位置まで戻されるようになり、特に、用紙載置部に積載された用紙を水平に近い状態で給紙させる場合において、前記のように戻し部材によって用紙が、用紙載置部に積載された用紙よりも後方の位置まで戻されると、戻された用紙が自重によって用紙載置部に積載された用紙の位置に導かれるということがなく、このように用紙載置部に戻された用紙を前記の給紙部材によって適切に給紙することができなくなるという問題があった。
【０００８】
一方、サイズが大きくて重い用紙や、吸湿されて摩擦抵抗が高い用紙等の場合には、前記のように戻し部材を用紙載置部に向けて回動させて、用紙を用紙載置部に戻す途中において、戻し部材の爪部に係止された用紙が爪部から離脱されて、用紙載置部に適切に戻されなくなるという問題があった。
【先行技術文献】
【特許文献】
【０００９】
【特許文献１】特開平１０−２２６４２８号公報
【発明の開示】
【発明が解決しようとする課題】
【００１０】
本発明は、用紙載置部に積層された用紙を給紙部材により給紙させるようにした給紙装置において、用紙載置部に積層された用紙が給紙部材により複数枚重なって給紙された場合に、下の用紙を戻し部材に設けられた爪部に係止させて、上の用紙だけを給紙させて搬送させる一方、この戻し部材により下の用紙を用紙載置部に戻すにあたり、爪部に係止された下の用紙が戻し部材によって用紙載置部の適切な位置に戻されるようにすることを課題とするものである。
【課題を解決するための手段】
【００１１】
本発明に係る第１の給紙装置においては、前記の課題を解決するため、
用紙載置部に積層された用紙を給紙部材により給紙させて給紙経路に導くと共に、この給紙部材により用紙載置部から複数枚の用紙が給紙された場合に、最上面の用紙の下にある用紙を、戻し部材の一端側に設けられた爪部に係止させて、この戻し部材により下の用紙を用紙載置部に戻す給紙装置において、
前記の戻し部材の爪部と反対側の端部の位置に設けられた第１支軸を案内する第１ガイド溝と、前記の戻し部材の爪部と第１支軸との間の位置に設けられた第２支軸を案内する第２ガイド溝とを設けると共に、前記の戻し部材を移動させる移動手段を設け、
この移動手段により前記の第１支軸と第２支軸とをそれぞれ前記の第１ガイド溝と第２ガイド溝に沿って移動させて、
前記の戻し部材における爪部が給紙経路の下に位置する第１位置と、
戻し部材における爪部を給紙経路に突出させて、最上面の用紙の下にある用紙をこの戻し部材の爪部に係止させる第２位置と、
戻し部材の爪部に下の用紙を係止させた状態で、戻し部材を用紙載置部に近づける方向にスライドさせた第３位置と、
戻し部材を用紙載置部に近づけた状態で、戻し部材を用紙載置部に向けて回動させて、戻し部材の爪部に係止された下の用紙を用紙載置部に戻す第４位置と、
に戻し部材を導くようにした。
【００１２】
ここで、この第１の給紙装置においては、前記の移動手段として、回動して戻し部材を移動させる回動部材と、前記の第１支軸と第２支軸とがそれぞれ前記の第１ガイド溝と第２ガイド溝とに沿って移動して、戻し部材が前記の第１位置から第４位置に導かれるように規制する規制部材とを設けるようにすることができる。
【００１３】
また、前記の規制部材として、前記の第１支軸に第１バネ部材を、前記の第２支軸に第２バネ部材を取り付け、この第１バネ部材と第２バネ部材により前記の第１支軸と第２支軸とを付勢し、前記の第１支軸と第２支軸とがそれぞれ前記の第１ガイド溝と第２ガイド溝に沿って移動して、回動部材によって移動される戻し部材が前記の第１位置から第４位置に導かれるように規制することができる。
【００１４】
また、本発明に係る第２の給紙装置においては、前記の課題を解決するため、
用紙載置部に積層された用紙を給紙部材により給紙させて給紙経路に導くと共に、この給紙部材により用紙載置部から複数枚の用紙が給紙された場合に、最上面の用紙の下にある用紙を、戻し部材の一端側に設けられた爪部に係止させて、この戻し部材により下の用紙を用紙載置部に戻す給紙装置において、
前記の戻し部材に、爪部を有する爪部材を取付軸により回動可能に取り付け、前記の爪部と反対側における戻し部材の端部の位置に設けられた支軸を案内するガイド溝を設けると共に、前記の戻し部材を移動させる移動手段を設け、
この移動手段により前記の支軸を前記のガイド溝に沿って移動させて、
前記の戻し部材における爪部が給紙経路の下に位置する第１位置と、
戻し部材における爪部を給紙経路に突出させて、最上面の用紙の下にある用紙をこの戻し部材の爪部に係止させる第２位置と、
戻し部材の爪部に下の用紙を係止させた状態で、戻し部材を用紙載置部に近づける方向にスライドさせた第３位置と、
戻し部材を用紙載置部に近づけた状態で、戻し部材に取付軸により回動可能に取り付けられた爪部材における爪部を用紙載置部に向けて回動させて、戻し部材の爪部に係止された下の用紙を用紙載置部に戻す第４位置と、
に戻し部材を導くようにした。
【００１５】
ここで、この第２の給紙装置においては、前記の移動手段として、回動して戻し部材を移動させる回動部材と、前記の支軸が前記のガイド溝に沿って移動して、戻し部材が前記の第１位置から第４位置に導かれるように規制する規制部材とを設けるようにすることができる。
【００１６】
また、前記の規制部材として、前記の支軸にバネ部材を取り付け、このバネ部材により前記の支軸を付勢し、この支軸が前記のガイド溝に沿って移動して、回動部材によって移動される戻し部材が前記の第１位置から第４位置に導かれるように規制することができる。
【００１７】
また、この第２の給紙装置において、前記の爪部材における爪部を前記の第４位置において用紙載置部に向けて回動させるにあたっては、前記の爪部材に、爪部から前記の取付軸を超えて延出された延出部を設け、この延出部に当止め部材を当接させて、爪部を用紙載置部に向けて回動させるようにすることができる。
【発明の効果】
【００１８】
本発明の第１の給紙装置においては、戻し部材の爪部に下の用紙を係止させた状態で戻し部材を用紙載置部に近づける方向にスライドさせ、用紙載置部に近づけた戻し部材を用紙載置部に向けて回動させて、爪部に係止された下の用紙を用紙載置部に戻すようにしたため、用紙の種類や乾燥状態等により戻される用紙の位置にバラツキが生じるということがなく、爪部に係止された下の用紙が戻し部材によって用紙載置部の適切な位置に戻されるようになる。
【００１９】
また、本発明の第２の給紙装置においては、戻し部材の爪部に下の用紙を係止させた状態で戻し部材を用紙載置部に近づける方向にスライドさせ、戻し部材を用紙載置部に近づけた状態で、戻し部材に回動可能に設けられた爪部材における爪部を用紙載置部に向けて回動させて、爪部に係止された下の用紙を用紙載置部に戻すようにしたため、用紙の種類や乾燥状態等により戻される用紙の位置にバラツキが生じるということがなく、爪部に係止された下の用紙が戻し部材によって用紙載置部の適切な位置に戻されるようになる。
【００２０】
この結果、本発明の第１及び第２の給紙装置においては、用紙載置部から複数枚の用紙が給紙部材により給紙された場合においても、最上面の用紙の下にある用紙が戻し部材によって用紙載置部の適切な位置に戻され、用紙載置部に戻された用紙が給紙部材によって適切に給紙されるようになる。
【図面の簡単な説明】
【００２１】
【図１】本発明の実施形態に係る給紙装置を使用する画像形成装置の例を示した概略説明図である。
【図２】本発明の実施形態１に係る給紙装置において、爪部を有する戻し部材を、給紙部材の両側に設けた状態を示した概略説明図である。
【図３】前記の実施形態１に係る給紙装置において、用紙載置部に積載された用紙を給紙部材によって給紙させる前の状態を示し、戻し部材における爪部を給紙経路の下に位置させた状態を示した部分説明図である。
【図４】前記の実施形態１に係る給紙装置において、用紙載置部に積載された用紙が給紙部材によって複数枚給紙された場合に、戻し部材の爪部を給紙経路に突出させて、下の用紙を戻し部材の爪部に係止させて、上の用紙だけを送りローラーに送る状態を示した部分説明図である。
【図５】前記の実施形態１に係る給紙装置において、下の用紙を戻し部材の爪部に係止させた状態で、戻し部材を用紙載置部に近づける方向にスライドさせた状態を示した部分説明図である。
【図６】前記の実施形態１に係る給紙装置において、戻し部材を用紙載置部に近づけた状態で、戻し部材を用紙載置部に向けて回動させて、戻し部材の爪部に係止された下の用紙を用紙載置部に戻す状態を示した部分説明図である。
【図７】前記の実施形態１に係る給紙装置において、給紙位置から離れた位置に、戻し部材を動作させる操作レバーを設けた状態を示した概略説明図である。
【図８】図７に示した給紙装置において、前記の操作レバーを動作させる状態を示した部分説明図である。
【図９】本発明の実施形態２に係る給紙装置において、用紙載置部に積載された用紙を給紙部材によって給紙させる前の状態を示し、戻し部材における爪部を給紙経路の下に位置させた状態を示した部分説明図である。
【図１０】前記の実施形態２に係る給紙装置において、用紙載置部に積載された用紙が給紙部材によって複数枚給紙された場合に、戻し部材の爪部を給紙経路に突出させて、下の用紙を戻し部材の爪部に係止させて、上の用紙だけを送りローラーに送る状態を示した部分説明図である。
【図１１】前記の実施形態２に係る給紙装置において、下の用紙を戻し部材の爪部に係止させた状態で、戻し部材を用紙載置部に近づける方向にスライドさせた状態を示した部分説明図である。
【図１２】前記の実施形態２に係る給紙装置において、戻し部材を用紙載置部に近づけた状態で、戻し部材の先端側に設けられた爪部材を用紙載置部に向けて回動させて、戻し部材の爪部に係止された下の用紙を用紙載置部に戻す状態を示した部分説明図である。
【発明を実施するための最良の形態】
【００２２】
次に、本発明の実施形態に係る給紙装置を用いる画像形成装置及び本発明の実施形態に係る給紙装置を添付図面に基づいて具体的に説明する。なお、本発明に係る給紙装置及びこれを使用する画像形成装置は、下記の実施形態に示したものに限定されず、その要旨を変更しない範囲において適宜変更して実施できるものである。
【００２３】
本発明の実施形態に係る給紙装置を用いる画像形成装置Ａにおいては、図１に示すように、回転する感光体ドラム１の表面を帯電装置２によって帯電させた後、帯電された感光体ドラム１に対して露光装置３により画像信号に従った露光を行い、この感光体ドラム１の表面に静電潜像を形成するようにしている。
【００２４】
そして、色彩の異なるトナーを収容させた複数の現像装置４ａ〜４ｄを保持させた回転式現像装置４を回転させて、各現像装置４ａ〜４ｄを順々に前記の静電潜像が形成された感光体ドラム１と対向する位置に導き、各現像装置４ａ〜４ｄから各色のトナーを感光体ドラム１に順々に供給して、感光体ドラム１の上に各色のトナー像が合成されたトナー像を形成するようにしている。
【００２５】
次いで、このように感光体ドラム１に形成されたトナー像を中間転写ベルト５に転写させて、中間転写ベルト５に転写されたトナー像を転写ローラー６と対向する位置に導く一方、中間転写ベルト５に転写されずに感光体ドラム１に残留するトナーを、第１クリーニング装置７により感光体ドラム１から除去させるようにしている。
【００２６】
また、画像形成装置Ａの底部に設けられた用紙載置部８に積載された用紙Ｓに給紙装置２０における給紙部材２１を接触させて回転させ、この給紙部材２１により用紙載置部８に積載された用紙Ｓを給紙させて給紙経路に導くようにし、この給紙部材２１により複数枚の用紙Ｓが給紙された場合には、この給紙部材２１と捌き部材２２との間で分離させて、最上面の用紙Ｓだけをこの給紙部材２１から送りローラー９に送るようにしている。
【００２７】
そして、この送りローラー９により用紙Ｓを、トナー像が転写された中間転写ベルト５と転写ローラー６との間に送り、中間転写ベルト５に転写されたトナー像を転写ローラー６により用紙Ｓに転写させる一方、用紙Ｓに転写されずに中間転写ベルト５に残留するトナーを、第２クリーニング装置１０により中間転写ベルト５から除去させるようにしている。
【００２８】
また、このようにトナー像が転写された用紙Ｓを定着ローラー１１間に導き、この定着ローラー１１間において、転写されたトナー像を用紙Ｓに定着させ、このようにトナー像が定着された用紙Ｓを排紙ローラー１２により排紙させるようにしている。
【００２９】
ここで、本発明の各実施形態に係る給紙装置２０においては、前記のように用紙載置部８に積載された用紙Ｓを給紙部材２１により給紙させて給紙経路に導くにあたり、複数枚の用紙Ｓが給紙部材２１により給紙された場合には、前記のように給紙部材２１と捌き部材２２との間で給紙された複数枚の用紙Ｓを分離させて、最上面の用紙Ｓを送りローラー９に送る一方、最上面の用紙Ｓの下にある用紙Ｓを戻し部材３０の一端側に設けられた爪部３１に係止させて、この戻し部材３０により下の用紙Ｓを用紙載置部８に戻すようにしている。
【００３０】
（実施形態１）
実施形態１に係る給紙装置２０においては、図２に示すように、一端に用紙Ｓを係止させる爪部３１を有する戻し部材３０を、前記の給紙部材２１の両側においてプレートＰに保持させるようにしている。
【００３１】
そして、この給紙装置２０においては、図３〜図６に示すように、戻し部材３０の爪部３１と反対側の端部の位置に設けられた第１支軸３２を、この第１支軸３２を案内する第１ガイド溝２３内に係合させると共に、戻し部材３０の爪部３１と第１支軸３２との間の位置に設けられた第２支軸３３を、この第２支軸３３を案内する第２ガイド溝２４内に係合させている。なお、前記の第１ガイド溝２３や第２ガイド溝２４は、戻し部材３０を保持させる前記のプレートＰに設けるようにしている。
【００３２】
また、前記の第１支軸３２と第２支軸３３とがそれぞれ前記の第１ガイド溝２３と第２ガイド溝２４に沿うようにして戻し部材３０を移動させる移動手段４０として、回動して戻し部材３０を移動させるＬ字状の回動部材４１の回動支点４１ａと反対側の端部を、前記の第１支軸３２を保持する軸受部３４に当接させると共に、前記の第１支軸３２と第２支軸３３とがそれぞれ前記の第１ガイド溝２３と第２ガイド溝２４に沿って移動するように規制する規制部材４２として、前記の第１支軸３２に第１バネ部材４２ａを、第２支軸３３に第２バネ部材４２ｂを取り付けて、この第１バネ部材４２ａと第２バネ部材４２ｂとにより前記の戻し部材３０を給紙方向斜め上方に引き付けるように付勢している。
【００３３】
ここで、この実施形態１に係る給紙装置２０において、前記の用紙載置部８に積載された用紙Ｓを給紙部材２１によって給紙させる前の状態では、図３に示すように、前記の回動部材４１を下方に回動させて、この回動部材４１により戻し部材３０における前記の軸受部３４を前記の第１バネ部材４２ａや第２バネ部材４２ｂに抗して下方に移動させ、前記の第１支軸３２を用紙載置部８から離れた位置における第１ガイド溝２３の下部に位置させると共に、前記の第２支軸３３を用紙載置部８から離れた位置における第２ガイド溝２４の下部に位置させて、戻し部材３０における爪部３１が給紙経路の下に位置する第１位置に、戻し部材３０を保持させるようにする。
【００３４】
そして、前記の給紙部材２１を回転させて、この給紙部材２１により用紙載置部８に積載された用紙Ｓを給紙させて給紙経路に導く場合においては、図４に示すように、前記の回動部材４１を上方に回動させて、前記の第１バネ部材４２ａや第２バネ部材４２ｂにより前記の戻し部材３０を上方に付勢し、前記の第１支軸３２と第２支軸３３とをそれぞれ前記の第１ガイド溝２３と第２ガイド溝２４に沿って用紙載置部８から離れた上部側の位置に移動させて、戻し部材３０をその爪部３１が給紙経路に突出する第２位置に導くようにする。この状態で、前記の給紙部材２１により用紙載置部８から複数枚の用紙Ｓが給紙された場合、複数枚給紙された用紙Ｓを前記のように分離させて、上の用紙Ｓａだけを前記の送りローラー９に送る一方、下の用紙Ｓｂをこの戻し部材３０の爪部３１に係止させるようにする。
【００３５】
次いで、図５に示すように、前記の第２の位置から回動部材４１を下方に回動させて、この回動部材４１により前記の軸受部３４を前記の第１バネ部材４２ａや第２バネ部材４２ｂに抗して用紙載置部８に向けて押し、第１支軸３２と第２支軸３３とをそれぞれ前記の第１ガイド溝２３と第２ガイド溝２４に沿って用紙載置部８に近づける方向にスライドさせて、前記のように下の用紙Ｓｂを戻し部材３０の爪部３１に係止させた状態で、この戻し部材３０を用紙載置部８に近づけた第３位置に導くようにする。
【００３６】
そして、このように下の用紙Ｓｂを爪部３１に係止させた戻し部材３０を用紙載置部８に近づけた第３位置から、図６に示すように、前記の回動部材４１を若干上方に回動させて、前記の第１支軸３２を第１バネ部材４２ａにより引っ張って、第１支軸３２を前記の第１ガイド溝２３に沿って用紙載置部８から離れる方向に移動させると共に、前記の第２支軸３３を前記の第２ガイド溝２４に沿って下方に導き、前記の戻し部材３０を用紙載置部８に向けて回動させて、戻し部材３０の爪部３１を用紙載置部８に近接させた第４位置に導き、この第４位置において爪部３１に係止された下の用紙Ｓｂを用紙載置部８に戻すようにする。
【００３７】
このようにすると、爪部３１に係止された下の用紙Ｓｂが戻し部材３０によって用紙載置部８の適切な位置に戻されて、用紙Ｓの種類や乾燥状態等によって用紙載置部８に戻される用紙Ｓの位置にバラツキが生じるということがなく、このように戻された下の用紙Ｓｂが前記の給紙部材２１によって適切に給紙されるようになる。
【００３８】
なお、前記のように戻し部材３０を動作させて、戻し部材３０の爪部３１に係止された下の用紙Ｓｂを用紙載置部８に戻すにあたっては、図７に示すように、給紙部材２１の両側に設けられた戻し部材３０における前記の第１支軸３２を給紙位置から離れた位置におけるプレートＰａを超えて延出させ、このように延出された第１支軸３２を操作レバー５０の軸受部５１に取り付けるようにすることができる。
【００３９】
この場合、図８に示すように、この操作レバー５０にも前記の戻し部材３０における第２支軸３３に対応するようにして第２支軸５２を設けると共に、第１支軸３２が延出された前記のプレートＰａにも、前記の第１ガイド溝２３と第２ガイド溝２４とを設け、このように設けた第１ガイド溝２３内に前記の第１支軸３２を係合させると共に、第２ガイド溝２４内に前記の第２支軸５２を係合させるようにする。
【００４０】
そして、Ｌ字状の回動部材４１を、前記の操作レバー５０の軸受部５１に当接させると共に、前記の第１支軸３２と第２支軸５２とがそれぞれ前記の第１ガイド溝２３と第２ガイド溝２４に沿って移動するように、前記の第１支軸３２に第１バネ部材４２ａを、第２支軸５２に第２バネ部材４２ｂを取り付け、前記のＬ字状の回動部材４１を回動させて、この操作レバー５０を駆動させ、これに伴って、前記の戻し部材３０を前記の第１位置から第４位置に移動させるようにすることができる。
【００４１】
このようにすると、戻し部材３０から離れた位置において、操作レバー５０を回動部材４１により駆動させることにより、前記のように戻し部材３０の爪部３１に係止された下の用紙Ｓｂを、用紙載置部８の適切な位置に戻すことができるようになる。
【００４２】
（実施形態２）
実施形態２に係る給紙装置２０においては、図９〜図１２に示すように、戻し部材３０の一端側に、先端部に用紙Ｓを係止させる爪部３１を有する爪部材３６を取付軸３６ａにより回動可能に取り付けると共に、捩りコイルバネ等の付勢手段（図示せず）により、この爪部材３６が勝手に下方に回動されないように起立した状態で維持させるように付勢している。また、戻し部材３０における前記の爪部材３６と反対側の端部の位置に支軸３７を設け、この支軸３７を案内するガイド溝２５内に係合させている。なお、前記のガイド溝２３は、前記の実施形態１の場合と同様に、前記の戻し部材３０を保持させるプレートＰに設けるようにしている。
【００４３】
また、前記の支軸３７が前記のガイド溝２５に沿うようにして戻し部材３０を移動させる移動手段４０として、回動支点４１ａにおいて回動して戻し部材３０を移動させる細長の楕円状になった回動部材４１を、前記の支軸３７を保持する軸受部３４に当接させると共に、前記の支軸３７が前記のガイド溝２５に沿って移動するように規制する規制部材４２として、戻し部材３０における支軸３７にバネ部材４２ｃを取り付けて、このバネ部材４２ｃにより前記の戻し部材３０を給紙方向斜め上方に引き付けるように付勢している。
【００４４】
また、前記の戻し部材３０が用紙載置部８に近づいた場合に、前記の爪部３１から取付軸３６ａを超えて延出された爪部材３６の延出部３６ｂが当接する当止め部材２６を用紙載置部８に近い位置に設けている。そして、この当止め部材２６に爪部材３６の延出部３６ｂが当接した状態で、さらに戻し部材３０が用紙載置部８に近づいた場合には、前記の爪部材３６の爪部３１が前記の捩りコイルバネ等の付勢手段に抗して用紙載置部８に向けて回動するようにしている。
【００４５】
ここで、この実施形態２に係る給紙装置２０において、前記の用紙載置部８に積載された用紙Ｓを給紙部材２１によって給紙させる前の状態では、図９に示すように、前記の回動部材４１における回動支点４１ａとその先端部との間の部分を前記の戻し部材３０の軸受部３４に当接させて、この回動部材４１により戻し部材３０における軸受部３４を前記のバネ部材４２ｃに抗して下方に移動させ、前記の支軸３７を用紙載置部８から離れた位置におけるガイド溝２５の下部に位置させて、戻し部材３０における爪部３１が給紙経路の下に位置する第１位置に、戻し部材３０を保持させるようにする。
【００４６】
そして、前記の給紙部材２１を回転させて、この給紙部材２１により用紙載置部８に積載された用紙Ｓを給紙させて給紙経路に導く場合においては、図１０に示すように、前記の回動部材４１を少し上方に回動させて、前記のバネ部材４２ｃにより給紙方向斜め上方に引き付けるように付勢された戻し部材３０における支軸３７をガイド溝２５に沿って用紙載置部８から離れた上部側の位置に移動させて、回動部材４１における先端部を前記の戻し部材３０の軸受部３４に当接させ、戻し部材３０をその爪部３１が給紙経路に突出する第２位置に導くようにする。この状態で、前記の給紙部材２１により用紙載置部８から複数枚の用紙Ｓが給紙された場合、複数枚給紙された用紙Ｓを前記のように分離させて、上の用紙Ｓａだけを前記の送りローラー９に送る一方、下の用紙Ｓｂをこの戻し部材３０の爪部３１に係止させるようにする。
【００４７】
次いで、図５に示すように、前記の第２の位置から回動部材４１を下方に回動させて、この回動部材４１により前記の軸受部３４を前記のバネ部材４２ｃに抗して用紙載置部８に向けて押し、前記の支軸３７を前記のガイド溝２５に沿って用紙載置部８に近づける方向にスライドさせ、前記のように下の用紙Ｓｂを戻し部材３０の爪部３１に係止させた状態で、前記の爪部材３６の延出部３６ｂが当止め部材２６に当接するまで、戻し部材３０を用紙載置部８に近づけた第３位置に導くようにする。
【００４８】
そして、このように爪部材３６の延出部３６ｂを当止め部材２６に当接させた第３位置から、図６に示すように、さらに回動部材４１を下方に回動させて、この回動部材４１により前記の軸受部３４を前記のバネ部材４２ｃに抗して用紙載置部８に向けて押し、前記の捩りコイルバネ等の付勢手段に抗して爪部材３６における爪部３１を用紙載置部８に向けて回動させ、戻し部材３０の爪部３１を用紙載置部８に近接させた第４位置に導いて、この第４位置において爪部３１に係止された下の用紙Ｓｂを用紙載置部８に戻すようにする。
【００４９】
このようにすると、爪部３１に係止された下の用紙Ｓｂが戻し部材３０によって用紙載置部８の適切な位置に戻されて、用紙Ｓの種類や乾燥状態等によって用紙載置部８に戻される用紙Ｓの位置にバラツキが生じるということがなく、このように戻された下の用紙Ｓｂが前記の給紙部材２１によって適切に給紙されるようになる。
【００５０】
なお、この実施形態２の給紙装置２０においても、図示していないが、前記の実施形態１の給紙装置２０の場合と同様に、戻し部材３０における支軸３７を給紙位置から離れた位置におけるプレートＰａを超えて延出させ、このように延出された支軸３７を操作レバー５０の軸受部５１に取り付け、この操作レバー５０を駆動させて、前記の戻し部材３０を前記の第１位置から第４位置に移動させるようにすることができる。
【符号の説明】
【００５１】
Ａ  画像形成装置
１  感光体ドラム
２  帯電装置
３  露光装置
４  回転式現像装置、４ａ〜４ｄ  現像装置
５  中間転写ベルト
６  転写ローラー
７  第１クリーニング装置
８  用紙載置部
９  送りローラー
１０  第２クリーニング装置
１１  定着ローラー
１２  排紙ローラー
２０  給紙装置
２１  給紙部材
２２  捌き部材
２３  第１ガイド溝
２４  第２ガイド溝
２５  ガイド溝
３０  戻し部材
３１  爪部
３２  第１支軸
３３  第２支軸
３４  軸受部
３６  爪部材、３６ａ  取付軸、３６ｂ  延出部
３７  支軸
４０  移動手段
４１  回動部材、４１ａ  回動支点
４２  規制部材、４２ａ  第１バネ部材、４２ｂ  第２バネ部材、４２ｃ  バネ部材
５０  操作レバー
５１  軸受部
５２  第２支軸
Ａ  画像形成装置
Ｐ，Ｐａ  プレート
Ｓ  用紙、Ｓａ  上の用紙、Ｓｂ  下の用紙
【図１】
2014205570.tif 000003
【図２】
2014205570.tif 000004
【図３】
2014205570.tif 000005
【図４】
2014205570.tif 000006
【図５】
2014205570.tif 000007
【図６】
2014205570.tif 000008
【図７】
2014205570.tif 000009
【図８】
2014205570.tif 000010
【図９】
2014205570.tif 000011
【図１０】
2014205570.tif 000012
【図１１】
2014205570.tif 000013
【図１２】
2014205570.tif 000014